【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
第１開始条件の成立にもとづいて、各々を識別可能な複数種類の第１識別情報の可変表示を行い表示結果を導出表示する第１可変表示手段と、第２開始条件の成立にもとづいて、各々を識別可能な複数種類の第２識別情報の可変表示を行い表示結果を導出表示する第２可変表示手段とを備え、前記第１可変表示手段または前記第２可変表示手段に特定表示結果が導出表示されたときに遊技者にとって有利な特定遊技状態に制御する遊技機であって、
前記第１開始条件または前記第２開始条件の成立にもとづいて、前記特定遊技状態に制御するか否かを決定する特定決定手段と、
前記特定決定手段の決定にもとづいて、あらかじめ定められた特定終了条件が成立するまで、前記特定遊技状態に制御する特定遊技状態制御手段と、
前記特定遊技状態に制御する旨が決定されたときに、該特定遊技状態とは異なる遊技者にとって有利な状態である特別遊技状態に制御するか否かを決定する特別決定手段と、
前記特別決定手段の決定にもとづいて、前記特定遊技状態が終了した後に、前記特別遊技状態に制御する特別遊技状態制御手段と、
所定の有利条件が成立したときに、前記第２開始条件の成立頻度および／または前記第２識別情報の可変表示の実行頻度の高まる有利遊技状態に制御する有利遊技状態制御手段と、
少なくとも前記有利遊技状態において、前記第１開始条件と前記第２開始条件の双方が成立しているときに、前記第１識別情報の可変表示よりも前記第２識別情報の可変表示を優先して実行する可変表示制御手段と、
前記特別遊技状態に制御する旨が決定されたときに、該特別遊技状態に制御されることを示す特別情報を、前記特定遊技状態の開始よりも先に報知するか前記特定遊技状態が開始された後に報知するかを決定する報知時期決定手段と、
前記報知時期決定手段の決定結果に応じた時期に、前記特別情報を報知する特別情報報知手段とを備え、
前記報知時期決定手段は、前記第２開始条件の成立にもとづいて前記特別遊技状態に制御する旨が決定されたときに、前記第１開始条件の成立にもとづいて前記特別遊技状態に制御する旨が決定されたときと比較して、高い割合で前記特定遊技状態が開始された後に前記特別情報を報知する旨を決定し、
前記特別情報報知手段は、所定の位置に設けられた発光体を所定のパターンで制御することにより前記特別情報を報知する
ことを特徴とする遊技機。
【手続補正２】
【補正対象書類名】明細書
【補正対象項目名】００１２
【補正方法】変更
【補正の内容】
【００１２】
本発明による遊技機は、第１開始条件の成立（例えば、第１特別図柄の変動表示中でも第２特別図柄の変動表示中でもなく、大当り遊技状態に移行されている状態でもない場合）にもとづいて、各々を識別可能な複数種類の第１識別情報（例えば、第１特別図柄）の可変表示を行い表示結果を導出表示する第１可変表示手段（例えば、第１特別図柄表示器８ａ）と、第２開始条件の成立（例えば、第１特別図柄の変動表示中でも第２特別図柄の変動表示中でもなく、大当り遊技状態に移行されている状態でもない場合）にもとづいて、各々を識別可能な複数種類の第２識別情報（例えば、第２特別図柄）の可変表示を行い表示結果を導出表示する第２可変表示手段（例えば、第２特別図柄表示器８ｂ）とを備え、第１可変表示手段または第２可変表示手段に特定表示結果（大当り図柄）が導出表示されたときに遊技者にとって有利な特定遊技状態（例えば、大当り遊技状態）に制御する遊技機であって、第１開始条件または第２開始条件の成立にもとづいて、特定遊技状態に制御するか否かを決定する特定決定手段（遊技制御用マイクロコンピュータ５６０におけるステップＳ１５１３を実行する部分）と、特定決定手段の決定にもとづいて、あらかじめ定められた特定終了条件が成立（例えば、所定回数（例えば１５回や２回）のラウンドを終了したこと。具体的には、ステップＳ５０１２でＹと判定したこと）するまで、特定遊技状態に制御する特定遊技状態制御手段（例えば、遊技制御用マイクロコンピュータ５６０におけるステップＳ３０４〜Ｓ３０７を実行する部分）と、特定遊技状態に制御する旨が決定されたときに、該特定遊技状態とは異なる遊技者にとって有利な状態である特別遊技状態（例えば、確変状態。または、時短状態や、継続回数の多い（例えば１００回）時短状態でもよい。）に制御するか否かを決定する特別決定手段（例えば、遊技制御用マイクロコンピュータ５６０におけるステップＳ１５１６を実行して確変大当りとするか否かを決定する部分）と、特別決定手段の決定（例えば、確変大当りとするとの決定。または、時短大当りするとの決定や、継続回数の多い時短大当りとするとの決定でもよい。）にもとづいて、特定遊技状態が終了した後に、特別遊技状態に制御する特別遊技状態制御手段（例えば、遊技制御用マイクロコンピュータ５６０におけるステップＳ４６７を実行する部分）と、所定の有利条件が成立（例えば、確変大当りとするとの決定。通常大当り（時短付き）とするとの決定。）したときに、第２開始条件の成立頻度および／または第２識別情報の可変表示の実行頻度の高まる有利遊技状態（例えば、高ベース状態および／または時短状態）に制御する有利遊技状態制御手段（例えば、遊技制御用マイクロコンピュータ５６０におけるステップＳ４６５，Ｓ４６７，Ｓ４６８を実行する部分）と、少なくとも有利遊技状態において、第１開始条件と第２開始条件の双方が成立しているときに、第１識別情報の可変表示よりも第２識別情報の可変表示を優先して実行する可変表示制御手段（例えば、遊技制御用マイクロコンピュータ５６０におけるステップＳ１５０３〜Ｓ１５０５を実行し、ステップＳ１５０３で第２保留記憶数があればステップＳ１５０４に移行して、以降、ステップＳ３３４〜Ｓ３３７，Ｓ３５１〜Ｓ３５３，Ｓ１３０１を実行する部分）と、特別遊技状態に制御する旨が決定されたときに、該特別遊技状態に制御されることを示す特別情報（例えば、演出図柄の最終停止図柄として停止表示される確変図柄の大当り図柄。確変昇格演出における確変に昇格した旨の表示。または、時短大当りや継続回数の多い時短大当りを示す大当り図柄でもよく、時短昇格演出における時短に昇格した旨の表示や、継続回数の多い時短に昇格した旨の表示でもよい。）を、特定遊技状態の開始よりも先に報知するか特定遊技状態が開始された後に報知するかを決定する報知時期決定手段（例えば、遊技制御用マイクロコンピュータ５６０におけるステップＳ１５１６を実行して、第１確変大当りや第２確変大当り（確変図柄の大当り図柄が最終停止される）を決定したり、第３確変大当りや第４確変大当り（非確変図柄の大当り図柄が最終停止され、ラウンド中確変昇格演出やエンディング確変昇格演出が実行される）を決定する部分）と、報知時期決定手段の決定結果に応じた時期に、特別情報を報知する特別情報報知手段（例えば、演出制御用マイクロコンピュータ１００におけるステップＳ８７２で確変図柄による大当り図柄を停止表示する部分。ステップＳ１９２１〜Ｓ１９３３を実行してラウンド中確変昇格演出を実行する部分。ステップＳ１９１７Ａで選択したプロセスデータを用いてステップＳ９７３〜Ｓ９７７を実行しエンディング確変昇格演出を実行する部分。）とを備え、報知時期決定手段は、第２開始条件の成立にもとづいて特別遊技状態に制御する旨が決定されたときに、第１開始条件の成立にもとづいて特別遊技状態に制御する旨が決定されたときと比較して、高い割合で特定遊技状態が開始された後に特別情報を報知する旨を決定し（例えば、遊技制御用マイクロコンピュータ５６０は、ステップＳ１５１６において、図９に示すように、ラウンド中確変昇格演出を伴う第３確変大当りを、第１特別図柄の可変表示を行う場合には１０％の割合で決定するのに対して、第２特別図柄の可変表示を行う場合には２０％の割合で決定する。また、図９に示すように、エンディング確変昇格演出を伴う第４確変大当りを、第１特別図柄の可変表示を行う場合には５％の割合で決定するのに対して、第２特別図柄の可変表示を行う場合には１０％の割合で決定する。）、特別情報報知手段は、所定の位置に設けられた発光体を所定のパターンで制御することにより特別情報を報知する。